(57)【要約】【課題】より確実かつ効率的にデータをバックアップすることができる携帯電話端末のデータバックアップシステムおよびデータバックアップ方法を提供する。【解決手段】一覧作成部４は、検出部２による携帯端末装置１の動作状態の検出結果に基づいて一覧表を作成して、記憶装置７に送信する。抽出部５は、その一覧表に含まれるデータのうち記憶装置７が記憶していないデータを記憶装置７に送信する。これにより、データを送信している途中で、電池がなくなったり、電界強度が低くなったりすることにより、データの送信がとぎれるのを防ぐことができるので、より確実にデータをバックアップすることができる。また、記憶装置７に記憶されていないデータのみが記憶装置７に送信されるので、余分なデータを送信しなくて良く、送信に要する時間および費用を削減するでき、効率がよい。【選択図】  図１
2009246898.tif 000002
【特許請求の範囲】
【請求項１】
データを記憶する内部記憶手段を備えた携帯端末装置において、
外部と無線による通信を行う無線手段と、
自装置の動作状態を検出する検出手段と、
この検出手段の検出結果に基づいて、前記内部記憶手段に記憶したデータの一覧を作成し、前記外部の記憶装置に宛てて前記無線手段に送信させる一覧作成手段と、
前記外部の記憶装置から前記一覧に含まれていない前記内部記憶手段に記憶されたデータの送信を要求されると、この要求に対応するデータを前記内部記憶手段から抽出して前記記憶装置に宛てて前記無線手段に送信させる抽出手段と
を備えたことを特徴とする携帯端末装置。
【請求項２】
前記検出手段は、前記動作状態として、当該携帯端末装置が有する電池の残量、前記無線手段の無線の電界レベルおよび当該携帯端末装置に適用される料金サービスのうち少なくとも１つを検出する
ことを特徴とする請求項１記載の携帯端末装置。
【請求項３】
前記無線手段により前記内部記憶手段に記憶された前記データを前記外部の記憶装置に対して送信させる際の条件を設定する設定手段をさらに備える
ことを特徴とする請求項１または２記載の携帯端末装置。
【請求項４】
携帯端末装置と、この携帯端末装置から無線を介して受信した情報を記憶する記憶装置とを少なくとも備えたデータバックアップシステムであって、
前記携帯端末装置は、
データを記憶する第１の記憶手段と、
前記記憶装置と無線による通信を行う無線手段と、
自装置の動作状態を検出する検出手段と、
この検出手段の検出結果に基づいて、前記第１の記憶手段に記憶したデータの一覧を作成し、前記記憶装置に宛てて前記無線手段に送信させる一覧作成手段と、
前記記憶装置からの要求に対応するデータを前記第１の記憶手段から抽出して、前記記憶装置に宛てて前記無線手段に送信させる抽出手段と
を備え、
前記記憶装置は、
前記第１の記憶手段から前記一覧に含まれていないデータを検索し、このデータの送信を前記携帯端末装置に要求する要求手段と、
前記携帯端末装置から受信した前記データを記憶する第２の記憶手段と
を備えることを特徴とするデータバックアップシステム。
【発明の詳細な説明】
【技術分野】
【０００１】
本発明は、携帯端末装置に記憶されたデータを記憶装置にバックアップする携帯端末装置およびデータバックアップシステムに関するものである。
【背景技術】
【０００２】
近年、携帯電話端末の高機能化や記憶容量の増大に伴って、携帯電話端末に保存できるデータの種類や容量が飛躍的に増大している。そこで、ユーザによっては、重要なデータを携帯電話端末に保存させることが行われている。このため、携帯電話端末の紛失したり、破損したりすると、その重要なデータも消失してしまうので、その携帯電話端末に保存したデータをサーバや他の記録媒体にバックアップすることが注目されており、様々な提案がなされている（例えば、特許文献１〜５参照。）。
【０００３】
【特許文献１】特開２００２−１３２７１７号公報
【特許文献２】特開２００３−３１９４６０号公報
【特許文献３】特開２００５−２０２９１８号公報
【特許文献４】特開２００６−１９１２１５号公報
【特許文献５】特開２００７−２５８８９５号公報
【発明の開示】
【発明が解決しようとする課題】
【０００４】
しかしながら、何れの場合においても、バックアップする際の携帯電話端末の状態やバックアップするデータの内容について何ら考慮していなかったので、より確実かつ効率的にデータをバックアップすることが困難であった。
【０００５】
そこで、本発明は、より確実かつ効率的にデータをバックアップすることができる携帯電話端末のデータバックアップシステムおよび携帯電話端末のデータバックアップ方法を提供することを目的とする。
【課題を解決するための手段】
【０００６】
上述したような課題を解決するために、本発明に係る携帯端末装置は、データを記憶する内部記憶手段を備えた携帯端末装置において、外部と無線による通信を行う無線手段と、自装置の動作状態を検出する検出手段と、この検出手段の検出結果に基づいて、内部記憶手段に記憶したデータの一覧を作成し、外部の記憶装置に宛てて無線手段に送信させる一覧作成手段と、外部の記憶装置から一覧に含まれていない内部記憶手段に記憶されたデータの送信を要求されると、この要求に対応するデータを内部記憶手段から抽出して記憶装置に宛てて無線手段に送信させる抽出手段とを備えたことを特徴とする。
【０００７】
上記携帯端末装置において、検出手段は、動作状態として、当該携帯端末装置が有する電池の残量、無線手段の無線の電界レベルおよび当該携帯端末装置に適用される料金サービスのうち少なくとも１つを検出するようにしてもよい。
【０００８】
上記携帯端末装置において、無線手段により内部記憶手段に記憶されたデータを外部の記憶装置に対して送信させる際の条件を設定する設定手段をさらに備えるようにしてもよい。
【０００９】
また、本発明に係るデータバックアップシステムは、携帯端末装置と、この携帯端末装置から無線を介して受信した情報を記憶する記憶装置とを少なくとも備えたデータバックアップシステムであって、携帯端末装置は、データを記憶する第１の記憶手段と、記憶装置と無線による通信を行う無線手段と、自装置の動作状態を検出する検出手段と、この検出手段の検出結果に基づいて、第１の記憶手段に記憶したデータの一覧を作成し、記憶装置に宛てて無線手段に送信させる一覧作成手段と、記憶装置からの要求に対応するデータを第１の記憶手段から抽出して、記憶装置に宛てて無線手段に送信させる抽出手段とを備え、記憶装置は、第１の記憶手段から一覧に含まれていないデータを検索し、このデータの送信を携帯端末装置に要求する要求手段と、携帯端末装置から受信したデータを記憶する第２の記憶手段とを備えることを特徴とする。
【発明の効果】
【００１０】
本発明によれば、自装置の動作状態を検出し、この検出結果に基づいて一覧を作成して記憶装置に送信し、記憶装置からその一覧に含まれていない記憶手段に記憶されたデータの送信を要求されると、この要求に対応するデータを記憶手段から抽出して記憶装置に送信されるので、より確実かつ効率的にデータをバックアップすることができる。
【発明を実施するための最良の形態】
【００１１】
以下、図面を参照して、本発明の実施の形態について詳細に説明する。
【００１２】
［第１の実施の形態］
まず、本発明の第１の実施の形態について説明する。
【００１３】
＜データバックアップシステムの構成＞
図１に示すように、本実施の形態に係るデータバックアップシステムは、携帯端末装置１と、記憶装置７とを少なくとも備えている。これらは、無線通信により各種データの送受信が可能な状態とされている。
【００１４】
≪携帯端末装置の構成≫
携帯端末装置１は、携帯電話機、ＰＤＡ（Personal Digital Assistants）やノート型ＰＣなど無線通信が可能な装置からなり、検出部２、記憶部３、一覧作成部４、抽出部５および無線部６を備えている。
【００１５】
検出部２は、携帯電話端末１の動作状態を検出する。
【００１６】
記憶部３は、携帯端末装置１の各構成要素の処理に必要な動作プログラム、電話帳、メールアドレス、電子メール、画像データ、音声データ、動画データなどの各種データを記憶する。
【００１７】
一覧作成部４は、記憶部３に記憶されているデータの一覧表を作成する。
【００１８】
抽出部５は、記憶装置７から要求されたデータを記憶部３から抽出し、これを無線部６により記憶装置７に送信する。
【００１９】
無線部６は、無線を介して記憶装置７と各種データの送受信を行う。
【００２０】
このような携帯端末装置１は、ＣＰＵ等の演算装置と、メモリ、ＨＤＤ（Hard Disc Drive）等の記憶装置と、キーボード、マウス、ポインティングデバイス、ボタン、タッチパネル等の外部から情報の入力を検出する入力装置と、インターネット、ＬＡＮ(Local Area Network)、ＷＡＮ(Wide Area Network)等の通信回線を介して各種情報の送受信を行うＩ/Ｆ装置と、ＣＲＴ(Cathode Ray Tube)、ＬＣＤ(Liquid Crystal Display)またはＦＥＤ(Field Emission Display)等の表示装置を備えたコンピュータと、このコンピュータにインストールされたプログラムとから構成される。すなわちハードウェア装置とソフトウェアとが協働することによって、上記のハードウェア資源がプログラムによって制御され、上述した検出部２、記憶部３、一覧作成部４、抽出部５、無線部６およびバックアップ部４が実現される。なお、上記プログラムは、フレキシブルディスク、ＣＤ−ＲＯＭ、ＤＶＤ−ＲＯＭ、メモリカードなどの記録媒体に記録された状態で提供されるようにしてもよい。
【００２１】
≪記憶装置の構成≫
記憶装置７は、サーバ等の公知の記憶装置から構成される。
【００２２】
＜データバックアップシステムの動作＞
次に、本実施の形態に係るデータバックアップシステムの動作について説明する。
【００２３】
まず携帯端末装置１は、検出部２により携帯端末装置１の動作状態を検出し、この検出結果に基づいて一覧作成部４に一覧表を作成させ、この一覧表を記憶装置７に送信する。
【００２４】
動作状態としては、携帯端末装置１の電池レベル、電界レベル、料金サービス等を確認する。
【００２５】
電池レベルの場合、例えば、電池レベルが５段階中の３以上である、充電器が接続されている場合、検出部２は、記憶部３に記憶されたデータを記憶装置７に送信させるために一覧作成部４に一覧表を作成させる。
【００２６】
また、電界レベルの場合、例えば、アンテナレベルが３〜２を７０％以上キープしている場合、検出部２は、記憶部３に記憶されたデータを記憶装置７に送信させるために一覧作成部４に一覧表を作成させる
【００２７】
また、料金サービスの場合、例えば、現時点までのパケット代が所定の金額以下で、かつ、ファイル数やファイルサイズなどから換算したバックアップにかかる大よその通信代金が所定の金額以下である場合、検出部２は、記憶部３に記憶されたデータを記憶装置７に送信させるために一覧作成部４に一覧表を作成させる
【００２８】
一覧作成部４により作成される一覧表は、例えば、記憶部３に記憶されたデータのファイル名、サイズ、データの種類、作成日時、保存日時等に関する情報をデータ毎に羅列したものから構成される。
【００２９】
一覧表を受信すると、記憶装置７は、その一覧表に含まれるデータのうち未だ記憶していないデータの送信を、携帯電話端末１に対して要求する。
【００３０】
上記要求を受信すると、抽出部５は、記憶部３からその要求に対応するデータを抽出し、これを無線部６により記憶装置７に送信する。これにより、記憶装置７には、一覧表に含まれていない未だ記憶していないデータが記憶されることとなる。
【００３１】
このように、本実施の形態によれば、携帯端末装置１の動作状態を検出し、この検出結果に基づいて一覧表を作成してこれを記憶装置７に送信し、その一覧表に含まれるデータのうち記憶装置７に記憶していないデータが記憶装置７に送信されるので、例えば、データを送信している途中で、電池がなくなったり、電界強度が低くなったりすることにより、データの送信がとぎれるのを防ぐことができるので、より確実にデータをバックアップすることができる。また、バックアップに要するコストも所定の金額に抑えることもできる。さらに、記憶装置７に記憶されていないデータのみが記憶装置７に送信されるので、余分なデータを送信しなくて良いので、送信に要する時間および費用を削減することができるため効率がよい。
【００３２】
［第２の実施の形態］
次に、本発明の第２の実施の形態について説明する。
【００３３】
＜データバックアップシステムの構成＞
図２に示すように、本実施の形態に係るデータバックアップシステムは、データサーバ１１と、このデータサーバ１１にデータをバックアップする携帯電話端末１２とを少なくとも備えており、電話回線や無線通信回線などの公知の通信回線からなる通信回線１３を介して接続されている。
【００３４】
≪データサーバの構成≫
データサーバ１１は、送受信部１１１と、記憶部１１２と、制御部１１３とを少なくとも備える。
【００３５】
送受信部１１１は、通信回路からなり、通信回線１３を介して携帯電話端末１２と音声信号やデータ信号などの各種情報を送受信を行う。
【００３６】
記憶部１１２は、メモリやハードディスクなどの記憶装置からなり、制御部１１３での処理に必要な動作プログラムや携帯電話端末１２から受信したデータなど各種情報を記憶する。
【００３７】
制御部１１３は、ＣＰＵなどのマイクロプロセッサとその周辺回路からなり、制御メモリに記憶された動作プログラムを読み込んで実行することにより、上記ハードウェアと動作プログラムを協働させ、格納部１１３ａおよびデータ要求部１１３ｂの動作を実現させる。
【００３８】
格納部１１３ａは、携帯電話端末１２から受信したデータを記憶部１１２に記憶させる機能部である。
【００３９】
データ要求部１１３ｂは、携帯電話端末１２に対して記憶部１１２に格納されていないデータのアップロードを要求する機能部である。
【００４０】
≪携帯電話端末の構成≫
携帯電話端末１２は、無線部１２１と、電源部１２２と、操作部１２３と、表示部１２４と、記憶部１２５と、制御部１２６とを少なくとも備えている。
【００４１】
無線部１２１は、通信回路からなり、通信回線１３を介して携帯電話端末、電話端末、公知のＰＣ（Personal Computer）およびデータサーバ１１と音声信号やデータ信号などの各種情報を送受信を行う。
【００４２】
電源部１２２は、電源回路からなり、無線電話端末１２に供給する電力を蓄積する。
【００４３】
操作部１２３は、ユーザによる操作入力を検出するボタン、テンキー、カーソルキーなどの操作入力装置からなり、ユーザの操作を検出して制御部１２６に出力する。
【００４４】
表示部１２４は、ＬＣＤ（Liquid Crystal Display）、有機ＥＬ（Electro Luminescence）ＦＥＤ（Field Emission Display）などの公知の表示装置からなり、各種情報を表示する。
【００４５】
記憶部１２５は、メモリやハードディスクなどの記憶装置からなり、制御部１２６での処理に必要な動作プログラムや例えば電話帳、メールアドレス、電子メール、画像データ、音声データ、動画データなど各種情報を記憶する。このような記憶部１２５は、携帯電話端末１２の初期動作に必要な各種データに関する初期データ１２５ａ、自動バックアップを行う日時やバックアップするデータの各種設定に関する設定データ１２５ｂ、自動バックアップを実施する際の各種条件に関する条件データ１２５ｃ、および、電話帳、メールアドレス、電子メール、画像データ、音声データ、動画データなどバックアップするデータを含む各種データを格納するデータ格納部１２５ｄを少なくとも備えている。
【００４６】
制御部１２６は、ＣＰＵなどのマイクロプロセッサとその周辺回路からなり、制御メモリに記憶された動作プログラムを読み込んで実行することにより、上記ハードウェアと動作プログラムを協働させ、動作制御部１２６ａ、設定部１２６ｂ、バックアップ部１２６ｃおよび一覧作成部１２６ｄの動作を実現する。
【００４７】
動作制御部１２６ａは、通話機能、メーラー機能、ブラウザ機能、動画再生機能、音声再生機能など携帯電話端末１２の各種機能を実現するための各種動作を制御する機能部である。
【００４８】
設定部１２６ｂは、バックアップ動作の内容を設定する機能部である。
【００４９】
バックアップ部１２６ｃは、記憶部１２５に格納されたデータをデータサーバ１１に保存するバックアップ動作を行う機能部である。
【００５０】
一覧作成部１２６ｄは、データサーバ１１にバックアップするデータの一覧を作成する機能部である。
【００５１】
＜データバックアップシステムの動作＞
次に、本実施の形態に係るデータバックアップシステムの動作について説明する。
【００５２】
≪携帯電話端末の設定動作≫
まず、図３を参照して、携帯電話端末１２による設定動作について説明する。この設定動作とは、携帯電話端末１２に記憶されたデータのバックアップを自動的に行うか否かを設定するものである。
【００５３】
携帯電話端末１２の設定部１２６ｂは、電源の投入時、操作部１２３により検出された自動バックアップ設定を所望するユーザからの操作入力、または、データサーバ１１からの要求などに基づいて、表示部１２４に自動バックアップを設定する際のユーザに対する注意事項を表示させる（ステップＳ１）。この注意事項としては、自動バックアップを行う際に消費する消費電力や通信代金などが挙げられる。この注意事項は、記憶部１２５の初期データ１２５ａに予め記憶されており、設定部１２６ｂは、初期データ１２５ａからその注意事項を抽出し、表示部位１２４に表示させる。
【００５４】
注意事項を表示させると、設定部１２６ｂは、自動バックアップの内容に関する設定を行うか否かを確認する（ステップＳ２）。この確認は、ユーザの操作部１２３により検出されたユーザからの操作入力等に基づいて行うことができる。例えば、自動バックアップの設定を行う旨の操作入力を検出すると、設定部１２６ｂは、自動バックアップの内容の設定を行う。一方、例えば、自動バックアップの設定を行わない旨の操作入力を検出したり、所定時間内にユーザからの操作入力を検出しなかったりすると、設定部１２６ｂは、自動バックアップの内容の設定を行わない。
【００５５】
自動バックアップの内容を設定する場合（ステップＳ２：ＹＥＳ）、設定部１２６ｂは、携帯電話端末１２に記憶されたデータの自動保存を実施する際の各種設定に関する実施設定情報を、ユーザに設定させる（ステップＳ３）。この実施設定情報としては、自動保存する日時や時間帯などが挙げられる。ここで、自動保存する日時とは、例えば、月初め、月締め、週初め、週締め、隔週、隔月、個別日時指定など自動バックアップを行う日時関する情報である。また、自動保存する時間帯とは、例えば、通信開始時刻から通信終了時刻の指定、終了時刻が来たら残りは翌日に行うなどについて、自動バックアップを行う時間帯に関する情報である。これらの実施設定情報は、日時や時間帯に関する各項目を表示部１２４に表示させ、これらの中からユーザに所望する条件を選択させることにより、行わせるようにしてもよい。設定された実施設定情報は、記憶部１２５の設定データ１２５ｂに記憶される。
【００５６】
自動設定情報を設定すると、設定部１２６ｂは、データサーバ１１に保存するデータの種類や条件に関するバックアップデータ設定情報を、ユーザに設定させる（ステップＳ４）。このバックアップデータ設定情報としては、データサーバ１１にバックアップするデータのファイル名、種類やサイズなどが挙げられる。ここで、ファイルの種類とは、音声データ、動画データ、画像データ、電話帳、メールアドレス、電子メールなどが挙げられる。また、サイズとしては、例えば、音声データは３ＭＢ（以上または以下）のものを（保存または保存対象外）とするなどというように設定する。これらの設定は、ファイルの種類やサイズに関する各項目を表示部１２４に表示させ、これらの中からユーザに所望する条件を選択させることにより、行わせるようにしてもよい。設定されたバックアップデータ設定情報は、記憶部１２５の設定データ１２５ｂに記憶される。
【００５７】
バックアップデータ設定情報が設定された（ステップＳ４）、または、自動バックアップの内容の設定を行わない場合（ステップＳ２：ＮＯ）、設定部１２６ｂは、設定データ１２５ｂを確認し、自動バックアップを行う条件を満たしているか否か確認する（ステップＳ５）。なお、ユーザの操作入力により、自動バックアップを行うか否かを決定するようにしてもよい。
【００５８】
条件を満たしていない場合（ステップＳ５：ＮＯ）、設定部１２６ｂは、自動バックアップの設定動作を終了する。
【００５９】
一方、条件を満たしている場合（ステップＳ５：ＹＥＳ）、設定部１２６ｂは、バックアップ部１２６ｃにより自動バックアップ動作を行わせる（ステップＳ６）。この自動バックアップ動作の詳細については、後述する。
【００６０】
このように、本実施の形態によれば、自動バックアップを行う際の日時、時間帯、データの種類、データのサイズ等が適宜自由に設定されるので、ユーザの所望するデータをデータサーバ１１に保存することができる。
【００６１】
≪自動バックアップ動作≫
次に、本実施の形態のデータバックアップシステムにおける自動バックアップ動作について、図４，図５を参照して説明する。
【００６２】
まず、図４を参照して、自動バックアップ動作における携帯電話端末１２の動作について説明する。
【００６３】
例えば、上述した図３の設定動作によりステップＳ６が実行されたり、設定データ１２５ｂにより自動バックアップを行うよう設定された日時になったりすると、処理携帯電話端末１２の制御部１２６は、バックアップ部１２６ｃにより、自動バックアップを行うための条件を満たしているか否かを確認する（ステップＳ１１）。この確認は、記憶部１２５に記憶された条件データ１２５ｃを確認することにより行われる。この条件データ１２５ｃには、例えば電池電圧レベルなどの携帯電話端末１２の動作状態に関する条件や例えばパケット通信料一定額サービス加入などの携帯電話端末１２のキャリアに関する条件などが含まれる。本実施の形態において、バックアップ部１２６ｃは、以下の条件を満たしているか否かを確認する。
【００６４】
まず、例えば、電池レベルが５段階中の３以上である、充電器が接続されているなどの電池レベルに関する条件を満たしているか否かを確認する。この確認は、電源部１２２の状態を確認することにより行われる。
【００６５】
また、例えば、バックアップの通信中にアンテナレベルが３〜２を７０％以上キープするなどの電界レベルに関する条件を満たしているか否かを確認する。この確認は、無線部１２１の状態を確認することにより行われる。
【００６６】
また、例えば、パケット定額サービスやパケット代軽減サービスなどの加入している、
または、現時点までのパケット代が1000円以下で、かつ、ファイル数やファイルサイズなどから換算したバックアップにかかる大よその通信代金が2000円以下であるなど、サーバまたはサーバとのデータ通信に関する条件を満たしているか否かを確認する。この確認は、無線部１２１を介してデータサーバ１１に確認したり、記憶部１２５の設定データ１２５ｂから金額を算出したりすることにより行われる。
【００６７】
自動バックアップを行う条件を満たしている場合（ステップＳ１１：ＹＥＳ）、バックアップ部１２６ｃは、一覧作成部１２６ｄによりバックアップするデータの一覧を作成させ（ステップＳ１２）、これを無線部１２１によりデータサーバ１１に送信させる（ステップＳ１３）。
【００６８】
ここで、一覧作成部１２６ｄは、記憶部１２５の設定データ１２５ｂを参照して記憶部１２５のデータ格納部１２５ｄに格納されたデータを確認し、バックアップするデータの一覧を作成する。この一覧には、バックアップするデータのファイル名、データ形式、データ量、作成日時、送信日時などが含まれる。
【００６９】
一覧を送信したのち、データサーバ１１からデータのアップロードが要求されると（ステップＳ１４：ＹＥＳ）、バックアップ部１２６ｃは、その要求されたデータを記憶部１２５のデータ格納部１２５ｄから抽出し、無線部１２１によりデータサーバ１１に送信する（ステップＳ１５）。後述するように、データサーバ１１においては、携帯電話端末１２から受信した一覧とに基づいて、未格納のデータを検索し、この未格納のデータのアップロードを携帯電話端末１２に対して要求する。バックアップ部１２６ｃは、アップロードを行うとステップＳ１４の処理に戻り、未格納のデータがなくなるまでステップＳ１４とステップＳ１５の処理を繰り返す。
【００７０】
データサーバ１１からアップロード動作の終了を示す作業完了通知を受信する、すなわちデータのアップロードが要求されない場合（ステップＳ１４：ＮＯ）、バックアップ部１２６ｃは、データのバックアップ動作を終了する。
【００７１】
このように、本実施の形態によれば、記憶部１２５に記憶された条件データ１２５ｃを確認して自動バックアップを行う条件を満たしているか否かを確認することにより、例えば、データを送信している途中で、電池がなくなったり、電界強度が低くなったりすることにより、データの送信がとぎれるのを防ぐことができるので、より確実にデータをバックアップすることができる。また、バックアップに要するコストも所定の金額に抑えることもできる。したがって、エンドユーザは自動的にかつ効率よくサーバへデータをバックアップすることができる。
【００７２】
次に、図５を参照して、自動バックアップ動作におけるデータサーバ１１の動作について説明する。
【００７３】
まず、データサーバ１１の制御部１１３は、送受信部１１１が携帯電話端末１２から一覧を受信すると（ステップＳ２１）、格納部１１３ａによりその一覧に含まれるデータと既に記憶部１１２に格納した携帯電話端末１２から受信したデータとを比較する（ステップＳ２２）。
【００７４】
一覧に含まれるデータと同一のデータが記憶部１１２に存在しない場合（ステップＳ２３：ＮＯ）、格納部１１３ａは、データ要求部１１３ａにより携帯電話端末１２に対してそのデータのアップロードを要求する（ステップＳ２４）。この要求は、同一のデータが記憶部１１２に存在しないデータのファイル名等を携帯電話端末１２に対して送信することにより行われる。
【００７５】
送受信部１１１がアップロードの要求に対応するデータを携帯電話端末１２から受信すると、格納部１１３ａは、そのデータを記憶部１１２に格納する（ステップＳ２５）。
【００７６】
アップロードされたデータの格納した後（ステップＳ２５）、または、一覧に含まれるデータと同一のデータが記憶部１１２に存在する場合（ステップＳ２３：ＹＥＳ）、格納部１１３ａは、一覧に含まれた全てのデータについて同一のデータが記憶部１１２に存在するか否かを確認する（ステップＳ２６）。
【００７７】
未確認のデータが存在する場合（ステップＳ２６：ＮＯ）、格納部１１３ａは、ステップＳ２２の処理に戻る。
【００７８】
一方、未確認のデータが存在しない、すなわち一覧に含まれる全てのデータについて同一のデータが記憶部１１２に存在するか否かの確認が終了すると（ステップＳ２６：ＹＥＳ）、格納部１１３ａは、携帯電話端末に対してバックアップ動作の終了を示す作業完了通知を送信する（ステップＳ２７）。
【００７９】
このように、携帯電話端末１２から受信した一覧に含まれるデータと記憶部１１２に記憶されたデータを比較し、一覧に含まれるデータのうち記憶部１１２に存在しないデータのアップロードを要求することにより、同一のデータのアップロードを防ぐことができるので、通信時間や通信コストを削減することができる。
【００８０】
以上説明したように、本実施の形態によれば、携帯電話端末１２の動作状態を検出し、この検出結果に基づいて記憶部１２５のデータ格納部１２５ｄに記憶されたデータをデータサーバ１１に送信することにより、より確実にデータをバックアップすることができる。
【００８１】
関連する技術では、保存できるデータの種類が限られており、バックアップもＰＣや外部媒体同様携帯端末の操作が必要であった。このため、データの保存を行う度にエンドユーザによる携帯端末の操作やファイルの選択が必要になったり、データの選択ミスにより、既に保存済みのファイルを再度保存してしまう可能性があった。
【００８２】
しかしながら、本実施の形態では、自動的にデータ保存を実行する時間帯や条件、保存するデータの種類や条件などを予め設定しておき、自動的にデータをデータサーバ１１に送信される。これにより、ファイル毎にバックアップの要不要の指定が必要なくなる。また、データサーバ１１では、一覧と記憶部１１２に記憶されたデータを比較し、記憶部１１２に記憶されていないデータのみの送信を要求し、既に記憶しているデータについては送信されないようにすることにより、二重保存や無駄なバックアップ動作を防ぐことができ、無駄な通信時間や通信費用を削減することができる。
【００８３】
［第３の実施の形態］
次に、本発明の第３の実施の形態について説明する。なお、本実施の形態は、データサーバ１１と携帯電話端末１２とにおいて同一のデータが含まれるか否かを携帯電話端末１２で判断するものである。したがって、上述した第２の実施の形態と同等の構成に要素については、同じ名称および符号を付し、適宜説明を省略する。
【００８４】
≪データサーバの構成≫
図６に示すように、データサーバ１１は、送受信部１１１と、記憶部１１２と、制御部１１３を備えている。
【００８５】
制御部１１３は、格納部１１３ａと、データ要求部１１３ｂと、保存一覧作成部１１３ｃとを備えている。
【００８６】
ここで、保存一覧作成部１１３ｃは、携帯電話端末１２からの要求に応じて、記憶部１１２に記憶した携帯電話端末１２から受信したデータの一覧である保存一覧を作成し、これを送受信部１１１により携帯電話端末１２に送信する機能部である。ここで、保存一覧には、例えば、データのファイル名、データの種類、データ容量、受信日時、作成日時などの情報が含まれている。
【００８７】
≪自動バックアップ動作≫
次に、本実施の形態のデータバックアップシステムにおける自動バックアップ動作について、図７を参照して説明する。
【００８８】
例えば、上述した図３の設定動作によりステップＳ６が実行されたり、設定データ１２５ｂにより自動バックアップを行うよう設定された日時になったりすると、処理携帯電話端末１２の制御部１２６は、バックアップ部１２６ｃにより、データサーバ１１に対して保存一覧の送信を要求し、これを受信する（ステップＳ３１）。なお、本実施の形態においても、上述した図２のステップＳ１１の処理、すなわち、自動バックアップを行うための条件を満たしているか否かを確認したのち、保存一覧の送信を要求するようにしてもよい。
【００８９】
保存一覧を受信すると、バックアップ部１２６ｃは、一覧作成部１２６ｄによりバックアップするデータの一覧を作成する（ステップＳ３２）。
【００９０】
一覧を作成すると、バックアップ部１２６ｃは、保存一覧と一覧とを比較し、この一覧に含まれているデータが、保存一覧に含まれているか否か確認する（ステップＳ３３）。
【００９１】
保存一覧に含まれている場合（ステップＳ３３：ＹＥＳ）、バックアップ部１２６ｃは、一覧作成部１２６ｄに、保存一覧に含まれるデータを一覧から削除させる（ステップＳ３４）。
【００９２】
保存一覧に含まれていない場合（ステップＳ３３：ＮＯ）、または、一覧からデータを削除すると、バックアップ部１２６ｃは、一覧の全てのデータの確認が完了したか否かを確認する（ステップＳ３５）。
【００９３】
確認が完了していない場合（ステップＳ３５：ＮＯ）、バックアップ部１２６ｃは、ステップＳ３３の処理に戻る。
【００９４】
一方、確認が完了した場合（ステップＳ３５：ＹＥＳ）、バックアップ部１２６ｃは、一覧に含まれるデータを記憶部１２５のデータ格納部１２５ｄから抽出し、無線部１２１によりデータサーバ１１に送信する（ステップＳ３６）。
【００９５】
このように、本実施の形態によっても、上述した第１，第２の実施の形態と同等の作用効果を得ることができる。
【００９６】
［第４の実施の形態］
次に、本発明の第４の実施の形態について説明する。なお、本実施の形態は、携帯電話端末１２のデータ格納部１２５ｄに格納されたデータに変更があると、この変更の履歴を作成するものである。したがって、上述した第２，第３の実施の形態と同等の構成に要素については、同じ名称および符号を付し、適宜説明を省略する。
【００９７】
≪携帯電話端末の構成≫
図８に示すように、本実施の形態において、携帯電話端末１２は、無線部１２１と、電源部１２２と、操作部１２３と、表示部１２４と、記憶部１２５と、制御部１２６とを少なくとも備えている。
【００９８】
記憶部１２５は、初期データ１２５ａ、設定データ１２５ｂ、条件データ１２５ｃ、データ格納部１２５ｄおよび変更履歴データ１２５ｅを少なくとも備えている。
【００９９】
変更履歴データ１２５ｅは、データ格納部１２５ｄに格納されたデータの変更の履歴を示す情報である。
【０１００】
制御部１２６は、動作制御部１２６ａ、設定部１２６ｂ、バックアップ部１２６ｃ、一覧作成部１２６ｄおよび変更履歴生成部１２６ｅを備えている。
【０１０１】
変更履歴生成部１２６ｅは、データ格納部１２５ｄに格納されたデータに変更が生じると、変更履歴を生成する機能部である。この変更履歴は、記憶部１２５に格納される。
【０１０２】
≪変更履歴生成動作≫
次に、図９を参照して、変更履歴生成動作について説明する。
【０１０３】
無線部１２１を介して新たなデータを受信したり、操作部１２３を介して新たなデータが入力されたことが検出され、記憶部１２５のデータ格納部１２５ｄにデータの追加が発生したことが検出されると（ステップＳ４１）、バックアップ部１２６ｃは、そのデータがバックアップの条件に適合するか否かを確認する（ステップＳ４２）。この確認は、追加されたデータをバックアップデータ設定情報に照らし合わせ、このバックアップデータ設定情報に規定される条件に適合するか否かを確認することにより行われる。
【０１０４】
追加されたデータがバックアップの条件に適合する場合（ステップＳ４２：ＹＥＳ）、バックアップ部１２６ｃは、変更履歴生成部１２６ｅにより、その追加されたデータに関する変更履歴データを生成し、記憶部１２５に記憶させる。これにより、上述した第２，第３の実施の形態などで説明した自動バックアップ動作の際、バックアップ部１２６ｃは、変更履歴データ１２５ｅを参照し、この変更履歴データ１２５ｅにより特定されるデータをデータサーバ１１に送信する。  
【０１０５】
追加されたデータがバックアップの条件に適合しない場合（ステップＳ４２：ＮＯ）、バックアップ部１２６ｃは、変更履歴生成動作を終了する。
【０１０６】
このように、本実施の形態によれば、データの追加が発生した際にこの追加に関する変更履歴データを生成することにより、追加したデータをより確実にバックアップすることができる。
【０１０７】
なお、上述した第２〜第４の形態では、携帯電話端末のデータをバックアップする場合について説明したが、例えばＰＤＡ（Personal Digital Assistants）やノート型ＰＣなど、データサーバにデータを送信できる機能を有する携帯端末装置であるならば、各種装置に適用することができる。
【産業上の利用可能性】
【０１０８】
本発明は、記憶したデータの無線通信を介して他の装置に記憶させる各種装置に適用することができる
【図面の簡単な説明】
【０１０９】
【図１】本発明の第１の実施の形態に係るデータバックアップシステムの構成を示す図である。
【図２】本発明の第２の実施の形態に係るデータバックアップシステムの構成を示す図である。
【図３】携帯電話端末による設定動作を示すフローチャートである。
【図４】携帯電話端末による自動データバックアップ動作を示すフローチャートである。
【図５】図２のデータサーバによる自動データバックアップ動作を示すフローチャートである。
【図６】本発明の第３の実施の形態に係るデータバックアップシステムのデータサーバの構成を示す図である。
【図７】携帯電話端末による自動データバックアップ動作を示すフローチャートである。
【図８】本発明の第４の実施の形態に係るデータバックアップシステムの携帯電話端末１２の構成を示す図である。
【図９】変更履歴データの生成動作を示すフローチャートである。
【符号の説明】
【０１１０】
１…携帯端末装置、２…検出部、３…記憶部、４…一覧作成部、５…抽出部部、６…無線部、７…記憶装置、１１…データサーバ、１２…携帯電話端末、１３…通信回線、１２１…無線部、１２２…電源部、１２３…操作部、１２４…表示部、１２５…記憶部、１２５ａ…初期データ、１２５ｂ…設定データ、１２５ｃ…条件データ、１２５ｄ…データ格納部、１２５ｅ…変更履歴データ、１２６…制御部、１２６ａ…動作制御部、１２６ｂ…設定部、１２６ｃ…バックアップ部、１２６ｄ…一覧作成部、１２６ｅ…変更履歴生成部。
【図１】
2009246898.tif 000003
【図２】
2009246898.tif 000004
【図３】
2009246898.tif 000005
【図４】
2009246898.tif 000006
【図５】
2009246898.tif 000007
【図６】
2009246898.tif 000008
【図７】
2009246898.tif 000009
【図８】
2009246898.tif 000010
【図９】
2009246898.tif 000011